(57)【要約】      （修正有）【課題】注ぎ口部が形成されている注出突部を備えた注出突部付のプラスチックキャップにおいて、容器内容液の付着残存がさらに効果的に防止されたキャップを提供する。【解決手段】容器内容液を注ぎ出すための開口或いは開口予定部の外側部分にある注出突部の上端には、注ぎ口２１が形成されており、頂板部の注出突部の内側の部分には、注出突部の付け根部分から前記開口或いは開口予定部に向かって下方に傾斜したテーパー面３０が形成されており、且つ、テーパー面３０の下端は、注ぎ口２１が形成されている側となる部分が高く、注ぎ口２１に対して径方向反対側となる部分が低くなるような傾斜を有しているとともに、頂板部の下面には、開口或いは開口予定部の外側に沿って、下方に延びている柱状小突起３３の複数個が、小間隔で配列されている。【選択図】図４
2010042835.tif 000002
【特許請求の範囲】
【請求項１】
容器口部に固定されるキャップ本体と、該キャップ本体に開閉可能にヒンジ連結部を介して一体に設けられた上蓋とからなり、キャップ本体は、頂板部と頂板部の周縁部から降下したスカート部とを備えていると共に、該頂板部には、容器内容液を注ぎ出すための開口或いは開口予定部が形成されており、該頂板部の上面には、該開口或いは開口予定部の外側部分に、上方に突出して容器内容液の注ぎ出し用案内となる注出突部が設けられているプラスチックキャップにおいて、
前記頂板部の注出突部の内側の部分には、前記開口或いは開口予定部から上方に向かって傾斜したテーパー面が形成されており、且つ、該テーパー面の下端は、前記ヒンジ連結部に対して径方向反対側となる部分が高く、該ヒンジ連結部が形成されている側となる部分が低くなるような傾斜を有しているとともに、
前記頂板部の下面には、前記開口或いは開口予定部の外側に沿って、下方に延びている柱状小突起の複数個が、小間隔で配列されていることを特徴とするプラスチックキャップ。
【請求項２】
前記開口或いは開口予定部は、前記ヒンジ連結部に対して径方向反対側となる部分及び該ヒンジ連結部が形成されている側となる部分が小幅に形成されており、その間の中央部分が最も大きな幅を有するような形状に形成されている請求項１に記載のプラスチックキャップ。
【請求項３】
前記ヒンジ連結部側の互いに隣り合う一対の柱状小突起間には、切り欠き部が形成されている請求項１または２に記載のプラスチックキャップ。
【発明の詳細な説明】
【技術分野】
【０００１】
本発明は、プラスチックキャップに関するものであり、より詳細には、容器口部に固定されるキャップ本体と、該キャップ本体に開閉可能にヒンジ連結部を介して一体に設けられた上蓋とからなり、容器内容液の注ぎ出し用案内となる注出突部が形成されたプラスチックキャップに関するものである。
【背景技術】
【０００２】
容器内容液の注ぎ出し用案内となる注出突部を備えたプラスチックキャップは、広く使用されている。このような注出突部付プラスチックキャップの代表的なものは、例えば容器口部に固定されるキャップ本体と、該キャップ本体に開閉可能にヒンジ連結された上蓋とからなり、該キャップ本体に注出突部が設けられた構造を有している。即ち、キャップ本体は、筒状側壁と、該筒状側壁の上端を閉じるようにして形成されている頂板部とを有しており、この頂板部の上面に注出突部が形成されており、頂板部の注出突部で囲まれた部分には、無端状のスコアで区画された開口予定部が形成されている。容器口部に固定されているキャップ本体の上記スコアを引裂くことにより開口が形成され、この開口を通して容器内容液の注ぎ出しを行うと、注ぎ出された液は、注出突部の壁面に沿って流れ、飛び散り等を生じることなく、スムーズに内容液の注ぎ出しが行われることとなる。
【０００３】
上記のような注出突部においては、一般に、その上端の少なくとも一部は、注出突部の付け根部分よりも外方に突出して注ぎ口となっており、該注ぎ口では、その上端部分が、ラッパ状に外方に湾曲しているが、最近では、注出突部の上端に、外方に大きく突出したクチバシ部を形成し、このようなクチバシ部を注ぎ口とすることが提案されており、クチバシ部の形成により液切れ性が高められることが知られている（特許文献１参照）。
【０００４】
上記のような注ぎ口が形成されたキャップは、確かに液切れ性が高められており、注出突部の外側への内容液の垂れ落ちなどは効果的に防止されているが、注出突部の内面側、特に注出開口の周縁部分に垂れ落ちた液が付着残存するという問題が残されている。
【０００５】
上記のような問題を解決したものとして、例えば特許文献２には、注出突部が形成されているキャップ頂板部の下面（裏面）において、注出用開口の周縁部であって、注出孔の隅部の端部に、液誘導リブを設けることが提案されている。即ち、内容液の注ぎ出し終了後、注ぎ口部から注出突部の内壁面に沿って落下し、注出用開口の周縁部分に達した容器内容液は、上記の液誘導リブによって速やかに容器内に流れ落ちるというものである。
【特許文献１】特開２００３−４０２９９号公報
【特許文献２】特開２０００−２０３６１８号公報
【発明の開示】
【発明が解決しようとする課題】
【０００６】
しかしながら、特許文献２のように液誘導リブを形成したときには、内容液の付着残存がある程度は防止できるが、その効果は未だ不十分であり、特に注出用開口周縁部に多くの内容液が付着残存する傾向があり、さらなる改善が求められている。
【０００７】
従って、本発明の目的は、上記のような注出突部を備えた注出突部付のプラスチックキャップにおいて、容器内容液の付着残存がさらに効果的に防止されたキャップを提供することにある。
【課題を解決するための手段】
【０００８】
本発明によれば、容器口部に固定されるキャップ本体と、該キャップ本体に開閉可能にヒンジ連結部を介して一体に設けられた上蓋とからなり、キャップ本体は、頂板部と頂板部の周縁部から降下したスカート部とを備えていると共に、該頂板部には、容器内容液を注ぎ出すための開口或いは開口予定部が形成されており、該頂板部の上面には、該開口或いは開口予定部の外側部分に、上方に突出して容器内容液の注ぎ出し用案内となる注出突部が設けられているプラスチックキャップにおいて、
前記頂板部の注出突部の内側の部分には、該注出突部の付け根部分から前記開口或いは開口予定部に向かって下方に傾斜したテーパー面が形成されており、且つ、該テーパー面の下端は、前記ヒンジ連結部に対して径方向反対側となる部分が高く、該ヒンジ連結部が形成されている側となる部分が低くなるような傾斜を有しているとともに、
前記頂板部の下面には、前記開口或いは開口予定部の外側に沿って、下方に延びている柱状小突起の複数個が、小間隔で配列されていることを特徴とするプラスチックキャップ
が提供される。
【０００９】
本発明においては、
（１）前記開口或いは開口予定部は、前記ヒンジ連結部に対して径方向反対側となる部分及び該ヒンジ連結部が形成されている側となる部分が小幅に形成されており、その間の中央部分が最も大きな幅を有するような形状に形成されていること、
（２）前記ヒンジ連結部側の互いに隣り合う一対の柱状小突起間には、切り欠き部が形成されていること、
が好適である。
【発明の効果】
【００１０】
本発明のプラスチックキャップにおいては、頂板部の注出突部内面側であって注出突部の付け根部分と注出用の開口或いは開口予定部の周縁部に形成されているテーパー面と、開口或いは開口予定部の外側に沿って、頂板部の下面に設けられている柱状小突起の列との共同作用によって、内容液の注ぎ出し終了後、注出突部の内壁面に沿って落下した液は、キャップ内に付着残存せず、速やかに容器内に落下するという効果が達成される。
【００１１】
即ち、上記のテーパー面は、注出突部の付け根部分から前記開口或いは開口予定部に向かって下方に傾斜しており、しかも該テーパー面の下端は、前記ヒンジ連結部に対して径方向反対側となる部分が高く、該ヒンジ連結部が形成されている側となる部分が低くなるように形成されている。このため、容器を傾倒して容器内容液の注ぎ出しを行なった後、容器を直立状態に復帰させると、容器内容液は、注出突部の先端の注ぎ口部から注出突部の内壁面に沿って落下し、キャップ頂板部の上面に達するが、この液は、テーパー面に沿って注出用開口に向かって流れ、しかも、注ぎ口部側（ヒンジ連結部に対して径方向反対側となる部分）から径方向反対側に流れていくことになる。このようにして注出用開口に向かって液が流れ込んで行くため、注出用開口の周縁部分の上面には内容液が付着残存することは殆どなく、しかも、この注出用開口の周縁部の下面には、その全周にわたって、柱状小突起が配列されているため、注出用開口の何れの部分に流れ込んだ液も、これらの柱状突起に沿って下方に流れ落ち、この結果、注出用開口の周縁部の上面及び下面の何れの部分にも内容液が付着残存することがなく、速やかに注ぎ出し終了後の内容液を容器内に回収することができるのである。
【発明を実施するための最良の形態】
【００１２】
本発明を、以下、本発明を添付図面に基づいて詳細に説明する。
図１は、本発明のプラスチックキャップを、上蓋が開放された状態で示す平面図であり、
図２は、図１のプラスチックキャップの側断面図（Ｘ−Ｘ断面図）であり、
図３は、図１のプラスチックキャップを、上蓋を閉じた状態で示す側断面図であり、
図４は、図３のプラスチックキャップの底面図であり、
図５は、図１のプラスチックキャップ本体の側断面図（Ｙ−Ｙ断面図）であり、
図６は、（ａ）が、図４のプラスチックキャップのキャップ本体頂板部の下面に形成された注出用開口予定部のヒンジ連結部側部分を拡大して示す底面図であり、
（ｂ）が、（ａ）のヒンジ連結部側から見た部分断面図である。
【００１３】
図１乃至図５を参照して、このキャップは、キャップ本体１と、キャップ本体１にヒンジ連結された上蓋２とからなっている。かかるキャップは、それ自体公知の合成樹脂、例えば、低−、中−または高密度ポリエチレン、線状低密度ポリエチレン、アイソタクティックポリプロピレン、エチレン−プロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂、熱可塑性ポリエステル、ポリアミド等を用いての射出成形等により、上蓋２が開栓された状態（図２参照）で成形される。
【００１４】
キャップ本体１は、頂板部５と、頂板部５の周縁部から垂下しているスカート部６とを有しており、上蓋２は、スカート部６の上端部分にヒンジ連結されている。このヒンジ連結部は７で示されており、スカート部６の上端に連結された中央バンド７ａと、この中央バンド７ａの両側に位置し且つスカート部６の上端より若干下方に連結されている１対の補助バンド７ｂ，７ｂとから形成されている。このようにしてスカート部６にヒンジ連結されている上蓋２を旋回することにより、キャップ本体１の頂板部５は、上蓋２によって閉じられる。尚、中央バンド７ａの中心部上面側には矩形上の浅い溝７ｃが中央バンド７ａの両端近傍まで延びている。この溝７ｃはヒンジの折れ曲がり易さを向上させるために設けられている。溝７ｃがヒンジの両端に至らないように形成されているのは、上蓋の開閉を多数行ってもヒンジが破断しないようにするためである。
【００１５】
キャップ本体１のスカート部６の内面には、図２及び図３に示されているように、係止突起８が形成されており、また、頂板部５の内面の周縁部分には、スカート部６とは間隔を置いて下方に延びているインナーリング９が形成されている。即ち、このインナーリング９とスカート部６との間の空間に容器口部（図示せず）が嵌め込まれ、且つ係止突起８と容器口部の外面との係合により、キャップ本体１は、容器口部にしっかりと固定されるものである。
【００１６】
また、スカート部６には、その厚み部分に上端から下方に向かって延びているスリットＡが形成されており、かかるスリットＡによって、スカート部６は、内側壁６ａと外側壁６ｂとに区画された２重壁構造となっており、図２及び図５に示されているように、内側壁６ａと外側壁６ｂとは下端で連なっている。このようにスカート部６を２重壁構造とすることにより、キャップの分別廃棄に際して、キャップを容器口部から容易に取り除くことが可能となる。例えば、ヒンジ連結部７（中央バンド７ｂ）の近傍位置に、外側壁６ｂにスコア（図示せず）が軸方向に延びるように形成されており、上蓋２を引き降ろすことにより、そのスコアを引き裂いて外側壁６ｂを破断することによって、キャップ本体１を容器から容易に取り除くことができるような構造となっている。尚、このスコアの上端と下端には切り欠き（図１において、上端の切欠きは１０で示されている）が形成され、上蓋２を引き降ろしてスコアを引き裂くときには、上端の切り欠き１０からスムーズにスコアを破断することができ、また、消費者が誤って上蓋２を持ち上げてスコアを破断しようとするときには、下端の切り欠き１０からスコアを破断することもできるようになっている。
【００１７】
さらに、外側壁６ｂの外面には、上記切欠き１０の近傍部分（ヒンジ連結部７の近傍）に、軸方向に延びているリブ１１が形成されている。このリブ１１は、キャップ本体１を容器口部に嵌合固定する際の容器との位置決め部材として使用されるものである。
【００１８】
キャップ本体１の頂板部５の上面には、内容液を注ぎ出す際に注ぎ出される液の案内となる注出突部１３が形成されており、注出突部１３の外側には、上蓋２との係合用の環状小突起１４が形成されている。
【００１９】
この注出突部１３は、ヒンジ連結部７側に大きく切欠かれた切り欠き部が形成されており（図１参照）、また、注出突部１３の内側領域には、注出用開口を形成するための無端状スコア１５が形成されている。また、頂板部５の外面には、無端状スコア１５の内側となる領域に形成された支柱１７を介してスコア破断用タブリング１９が設けられている。即ち、このタブリング１９を引っ張り上げることにより、スコア１５が破断して注出用開口が形成されるわけである。
【００２０】
従って、スコア１５の破断によって形成された注出用開口から流れ出た内容液は、注出突部１３によって案内され、その内面に沿って注ぎ出される。上記で述べたように、注出突部１３は、ヒンジ連結部７側が大きく切欠かれている。即ち、ヒンジ連結部７とは反対側の部分から内容液の注ぎ出しが行なわれるため、この部分には案内壁は必要ではなく、従って、この部分を大きく切り欠いておくことにより、上蓋２を閉じる際に、注出突部１３が邪魔にならないようにしたものである。
【００２１】
また、注出突部１３の内面の下端部分は、ヒンジ連結部側の切り欠き部を除いて全域に渡ってフラットであり且つ略直立したシール面２０となっており（特に図２参照）、ヒンジ連結部側の切り欠き部に位置する頂板部５には、注出用開口を形成するための無端状スコア１５に向かって切り立った面が形成されている。この切り立った面の下部がテーパー面３０となり、テーパー面３０に続く上部が略直立したシール面２０となっている。即ち、上蓋２を閉じたとき、注出突部１３と頂板部５に形成されたシール面２０に上蓋２の一部が密着し、スコア１５を破断して注出用開口が形成された後の密封性が確保されるようになっている。
【００２２】
図１及び図２から理解されるように、注出突部１３のヒンジ連結部７側とは反対側部分には、上端部分の一部が外方に傾斜しており、三角形状に外方に突出したクチバシ部２１が形成されている。クチバシ部２１は、注ぎ口として機能するものであり、その先端（もっとも突出した上端中心部分２１ａ）は、ヒンジ連結部７を通るキャップの中心線Ｘ上に位置しており、三角形の頂点となっている。かかるクチバシ部２１の内面の下方部分は、前記シール面２０の上端部分に位置しており、クチバシ部２１の内面は、この部分から上方に向かって傾斜した傾斜面２１ｂとなっており、この部分には、液がスムーズに流れるように溝２１ｃが形成されている。このように注出突部１３の付け根部分よりも外方に大きく突出しているクチバシ部２１は注ぎ口となり、この部分から内容液を注ぎ出すことにより、内容液の注ぎ出しをスムーズに行うことができる。
【００２３】
また、図２に示されているように、クチバシ部２１においては、その上端が薄肉となっており、ラッパ状に外方に湾曲している。即ち、クチバシ形状に加えて、このようにラッパ状に湾曲させることにより、この部分での液の付着が抑制されて液切れ性が向上し、内容液の注ぎ出し終了時の液垂れを有効に防止することができる。
【００２４】
上記のようなキャップ本体１において、注出用開口を形成する無端状スコア１５は、図４に示されているように、クチバシ部（注ぎ口）２１が形成されている側（ヒンジ連結部７に対して径方向反対側）及びクチバシ部２１に対して径方向反対側（ヒンジ連結部７側）が幅狭の形状を有しており、それぞれ、幅狭部１５ａ，１５ｂが形成されており、その中央部分が最も幅の大きい幅広部１５ｃとなっている。即ち、無端状スコア１５を引き裂いて注出用開口を形成し、容器を傾けて、この注出用開口から内容液の注ぎ出しを行なう場合、ヒンジ連結部７とは反対側に形成されている幅狭部１５ａから注出突部１３のクチバシ部２１の内面に内容液が集中して速やかに流れ出し、また、注ぎ出し終了後には、ヒンジ連結部７側の壁面に付着残存した液が、幅狭部１５ａ側から速やかに容器内に戻るような構造となっている。
【００２５】
一方、上蓋２は、天板２５と、天板２５の周縁部から延びている筒状側壁２７とから形成されており、天板２５の内面には、シール用リング２９が形成されている。即ち、上蓋２を閉じたとき、このシール用リング２９の外面が注出突部１３の内面下方のシール面２０とヒンジ連結部側の頂板部５に形成されたシール面２０に密着し、この密着により、スコア１５の破断により注出用開口を形成した後のシール性が確保される。即ち、注出突部１３の内面下方のシール面２０とヒンジ連結部側の頂板部５に形成されたシール面２０とで環状のフラットな面を形成することとなる。尚、注出突部１３のヒンジ連結部７側部分が切り欠かれているため、この上蓋２を閉じる際にシール用リング２９はスムーズに注出突部１３内に入り込み、シール面２０と密着することとなる。また、シール用リング２９は頂板部５に形成されたシール面２０と密着するためにヒンジ連結部側が長く形成されている。
【００２６】
また、図２、図３に示されているように、上蓋２の天板２５の中央部分はドーム状に膨出した膨出部２５ａとなっている。このような膨出部２５ａを形成することにより、シール用リング２９の内面からシール用リング２９で囲まれた天板２５の内面を肉厚にすることなく角部のない球状面にすることができ、スコア１５の破断後に天板２５の内面に付着した内容液を速やかに容器内に戻すことができるようになっている。
【００２７】
さらに、天板２５のヒンジ連結部とは反対側部分（注出突部１３のクチバシ部２１が位置する側）には鍔２５ｂが形成されており、これにより、上蓋２の開閉操作を容易に行うことができるようになっている。鍔２５ｂを筒状側壁２７の下端部に設けるのではなく筒状側壁２７の上端部、即ち天板２５の周縁部に設けたことにより、上蓋２開蓋時に手の指が注出突部１１のクチバシ部２１先端２１ａに触れ難くしている。
【００２８】
上蓋２の筒状側壁２７の下端面の先端部側（ヒンジ連結部７とは反対側部分）には、小突起２７ａが適当な間隔で設けられている。即ち、内容液の注出を行ったとき、キャップ本体１の頂板部５の上面の周縁部分、特にヒンジ連結部７とは反対側部分には、注ぎ出された液が付着する場合がある。このような場合、上蓋２を閉じた時に、筒状側壁２７の下端面が全体にわたって頂板部５の上面の周縁部分に密着してしまうと、付着している液がはじき飛ばされてしまい、周囲を汚してしまうなどの不都合を生じることがある。しかるに、上記のような小突起２７ａを形成しておけば、付着した液のはじき飛ばしを有効に回避することができる。
【００２９】
尚、筒状側壁２７の下端面のヒンジ連結部７側には、上記のような小突起２７ａの形成により傾きを回避するための高さ調整用の弧状突起２７ｂが形成されている。
【００３０】
また、筒状側壁２７の下方部分の内面には、突部２７ｃが周状に形成されている。即ち、上蓋２を閉じたとき、この凸部２７ｃが頂板部５の外面に形成されている小突起１４と係合し、これにより上蓋２の閉栓状態が保持されることとなる。
【００３１】
さらに、上記の筒状側壁２７の内面には、ヒンジ連結部７とは反対側の部分、即ち、天板２５に鍔２５ｂが形成されている部分には、肉抜きにより溝２８が形成されている。このような溝２８を形成しておくことにより、上蓋２を閉じたときに、注出突部１３に形成されているクチバシ部２１の先端２１ａが上蓋２の筒状側壁２７の内面に接触せず、スムーズに上蓋２が閉じられるようになっている。
【００３２】
上述した構造のプラスチックキャップにおいて、本発明では、キャップ本体１の頂板部５の注出突部１３の内側の領域にテーパー面３０が形成されていることが重要な特徴の一つである。このテーパー面３０は、図３、図５から理解されるように、注出突部１３が形成されている領域においては、注出突部１３の付け根部分から無端状スコア１５に向かって下方に傾斜しており、注出突部１３が形成されていないヒンジ連結部７側領域においては、頂板部５のシール面２０から無端状スコア１５に向かって下方に傾斜して形成されている。従って、このスコア１５を引き裂いて注出用の開口を形成したとき、注出突部１３の付け根部と該開口の周縁部との間は、このようなテーパー面３０となる。また、このテーパー面３０の下端は、図２から理解されるように、クチバシ部（注ぎ口）２１が形成されている側（ヒンジ連結部７に対して径方向反対側）が高く、ヒンジ連結部７側（クチバシ部２１に対して径方向反対側）が低くなるように傾斜している。
【００３３】
即ち、上記のようなテーパー面３０を形成しておくことにより、容器を傾倒して容器内容液の注ぎ出しを行なった後、容器を直立状態に復帰させると、容器内容液は、クチバシ部２１から注出突部３の内壁面に沿って落下し、さらに、テーパー面３０に沿って注出用開口に向かって流れ、しかも、クチバシ部２１が形成されている側からヒンジ連結部７側に流れていく。このようにして注出用開口に向かって内容液が流れ込んで行くため、注出用開口の周縁部分の上面に内容液が付着残存するという不都合を有効に防止することができる。
【００３４】
尚、上記のようなテーパー面３０を形成した結果、ヒンジ連結部７側の頂板部のシール面２０は低い位置に形成され、このため、上蓋２のシール用リング２９は、ヒンジ連結部７側の背が高く形成され、ヒンジ連結部７側に形成されているシール面２０と良好に密着し得るようになっている。
【００３５】
また、本発明においては、上記のようなテーパー面３０を形成すると同時に、特に図４に示されているように、頂板部５の下面に、無端状スコア１５の全周にわたって且つその外側に沿って、下方に延びている液誘導用の小突起である柱状小突起３３を小間隔で配列したことも重要な特徴である。即ち、注出用の開口を形成したとき、この開口の全周にわたって、その周縁部の下面に柱状小突起３３が配列しているため、前述したテーパー面３０によって案内されて注出用開口に流れ込んだ液は、その何れの部分から流れ込んだ場合にも、これらの柱状小突起３３に沿って速やかに下方に流れ落ちることとなり、注出用開口の周縁部の上面側に付着残存するという不都合を有効に防止することが可能となる。
【００３６】
このように、本発明においては、テーパー面３０と柱状突起３３の列とによって、キャップ内に内容液が付着残存することがなく、注ぎ出し終了後の内容液を速やかに容器内に回収することができる。
【００３７】
本発明において、上記の柱状突起３３の数は、特に制限されるものではなく、スコア１５の引き裂きによって形成される注出用開口の大きさによって適宜の数とすればよいが、隣り合う柱状小突起３３の間隔ｄが広すぎたり、１つの柱状小突起３３の幅ｗが大きすぎると、この柱状小突起３３の液案内効果が低下するため、通常、隣り合う柱状小突起３３の間隔ｄ（付け根部間の間隔）は０．５乃至３．０ｍｍ程度とし、その幅ｗ（付け根部分の幅）は、０．５乃至３．０ｍｍ程度するのがよい。また、この柱状小突起３３は、先端が小径となるような先細形状とすることが、高い液案内効果を確保する上で好適である。
【００３８】
また、柱状小突起３３の長さは、長いほど液案内効果が高いが、あまり長くすることは成形が困難となるおそれがあり、キャップの搬送時にキャップの安定性が損なわれるおそれがあるため、少なくとも、柱状小突起３３の先端がキャップ本体１のスカート部６の下端よりも突出しない程度の長さとするのがよい。
【００３９】
さらに、容器内容液の付着残存は、注出用開口のヒンジ連結部７側の部分に生じ易い傾向がある。即ち、この部分は、最も低い位置にあり、多量に内容液が流れ込む部分であり、内容液が滞留し易い部分となっている。従って、図６（ａ）に示されているように、無端状スコア１５の幅狭部１５ｂ（ヒンジ連結部７側）の中心部を間に挟んで一対の柱状小突起３３を形成することが好ましい。即ち、このような配置により、これら柱状小突起３３の間の部分に容器内容液が流れ込むため、柱状小突起３３の液案内効果を最も効果的に発揮させることができるからである。
【００４０】
さらに、図６（ｂ）に示されているように、上記の一対の柱状小突起３３の間の部分は、切り欠き部３５とすることが好適である。このような切り欠き部３５を形成することにより、柱状小突起３３の実質的な長さを大きくし、その液案内効果を高めることができ、幅狭部１５ｂの近傍での内容液の付着残存を一層効果的に防止することができるからである。
【００４１】
上述した本発明のプラスチックキャップは、容器内容液の注ぎ出しに際しての液切れ性がよく、しかもキャップ内での内容液の付着残存も有効に防止されるため、特に各種調味液、例えば醤油用の容器のキャップとして有用である。
【図面の簡単な説明】
【００４２】
【図１】本発明のプラスチックキャップを、上蓋が開放された状態で示す平面図。
【図２】図１のプラスチックキャップの側断面図（Ｘ−Ｘ断面図）。
【図３】図１のプラスチックキャップを、上蓋を閉じた状態で示す側断面図。
【図４】図３のプラスチックキャップの底面図。
【図５】図１のプラスチックキャップ本体の側断面図（Ｙ−Ｙ断面図）。
【図６】（ａ）は、図４のプラスチックキャップのキャップ本体頂板部の下面に形成された注出用開口予定部のヒンジ連結部側部分を拡大して示す底面図であり、（ｂ）は、（ａ）のヒンジ連結部側から見た部分断面図。
【符号の説明】
【００４３】
１：キャップ本体
２：上蓋
１３：注出突部
１５：無端状スコア
２１：クチバシ部（注ぎ口部）
３０：テーパー面
３３：柱状小突起
３５：切り欠き部
【図１】
2010042835.tif 000003
【図２】
2010042835.tif 000004
【図３】
2010042835.tif 000005
【図４】
2010042835.tif 000006
【図５】
2010042835.tif 000007
【図６】
2010042835.tif 000008